(57)【要約】  【課題】従来の書類カバーは、表紙の上縁部と書類とをほぼ同じ位置に合わせて留めてしまうので、使っている間に書類の上側縁が書類カバーからはみ出して書類が傷んでしまうという問題があった。さらに書類の上縁側が傷まないよう少し工夫をして、表紙の上縁よりも僅かに下になるよう書類を留めると、今度はクリップが表紙の上側縁よりは入り込まないので、クリップが書類をしっかり挟まなくなり、留めた書類は書類カバーから外れやすくなってしまうという問題があった。【解決手段】表表紙と裏表紙とこれらの両表紙を連接する背部または背表紙とを有する書類カバーにおいて、表表紙または／および裏表紙の上側縁部にクリップを差し込むクリップ保持用切り込みを設けた。  【選択図】  図２
2007007990.tif 000002
【特許請求の範囲】
【請求項１】
表表紙と、裏表紙と、これらの両表紙を連接する背部または背表紙と、を有する書類カバーにおいて、表表紙または／および裏表紙の上側縁部にクリップを差し込むクリップ保持用切り込みを設けたことを特徴とする書類カバー。
【請求項２】
表表紙と、裏表紙と、これらの両表紙を連接する背部または背表紙と、を有する書類カバーにおいて、表表紙または／および裏表紙の上側縁近くにクリップを差し込むクリップ保持用穴部を設けたことを特徴とする書類カバー。
【請求項３】
表表紙と、裏表紙と、これらの両表紙を連接する背部または背表紙と、を有する書類カバーにおいて、表表紙の上側縁近くに窓を設けたことを特徴とする請求項１あるいは請求項２記載の書類カバー。
【請求項４】
請求項１から請求項３のいずれかの書類カバーにおけるクリップ保持用切り込みあるいはクリップ保持用穴部にクリップが固定されたことを特徴とする書類ホルダ。
【発明の詳細な説明】
【技術分野】
【０００１】
本発明は、書類の角をクリップで保持する時にその書類が書類カバーから食み出して書類が傷むようなことがないようにした書類カバーおよび書類ホルダに関する。
【背景技術】
【０００２】
穴の明いていない書類を書類カバーに留めることができて、使用するときに書類をめくっても書類がじゃまにならないという利点から、書類の角をクリップで留める書類カバーと書類ホルダが市販されている。
書類の角をクリップで保持する書類カバーには、書類カバーの表表紙における角を斜めに切れ線が入れられて、クリップを留めるためのコーナーが形成されたものがある。ところがクリップを留める箇所は表紙の上縁部となっている。（例えば、非特許文献１参照。）
また書類の角をクリップで保持する書類ホルダには、書類カバーの角に金属クリップを回動できるように取り付けたものがある。（例えば、非特許文献２参照。）
【０００３】
従来の書類カバー１０Ａについて、図１４と図１３により説明する。図１４は、クリップを書類の角に留める従来の書類カバー１０Ａを折り曲げた状態を示す斜視図である。表表紙１０１と、裏表紙１０２と、これらの両表紙を折線１０３で連接されたものである。この折線１０３により作られる部分を背部１０４ｂとする。書類カバー１０Ａには、表表紙１０１の上側縁部から背部１０４ｂに向かってコーナー切れ線１０３ｂが設けられ、三角形の表表紙コーナー部１０１ａが形成されている、図１５は、この書類カバー１０Ａに書類１０７がクリップ１０６ａで留められた状態を示す斜視図である。
【０００４】
図１６から図２０は、従来の書類ホルダ１０Ｂを示したものである。図１６は半透明のプラスチックシートを使用した書類ホルダ１０Ｂに使用されている書類カバー１０Ａの平面図である。表表紙１０１と、この表表紙１０１と大きさが同じ裏表紙１０２と、これらの両表紙を折線１０３、１０３で連接された背表紙１０４ａと、が設けられて、さらに表表紙１０１の上側縁部における背部１０４ｂ側隅にほぼ３角形のコーナー切切れ線１０３ｂが設けられて表表紙コーナー部１０１ｂが形成されている。また、表表紙コーナー部１０１ｂの右斜め下にクリップ保持用穴部１０８ｂが設けられている。図１７は、書類カバー１０Ａを折り曲げた状態を示した斜視図である。図１８は、書類カバー１０Ａのクリップ保持用穴部１０８ｂに取り付けられる回動クリップ１０６ｂの平面図である。図１９は図１８の回動クリップ１０６ｂを上から見た図である。図２０は、書類カバー１０Ａに回動クリップ１０６ｂを取り付けた書類ホルダ１０Ｂが閉じられた状態で、回動クリップ１０６ｂが開かれている状態を示したものである。
【０００５】
【非特許文献１】ＣｌｉｐＢｉｚｚ社  ホームページ  平成１７年６月１８日検索インターネット  ＜ＵＲＬ：  ＨＹＰＥＲＬＩＮＫ  ｈｔｔｐ：／／ｗｗｗ．ｃｌｉｐｂｉｚｚ．ｃｏｍ／ｅｎｇｌｉｓｃｈ／ａｌｌｆｒａｍｅ．ｈｔｍ＞
【非特許文献２】ＡＶＥＲＹ社  ホームページ    平成１７年６月１８日検索インターネット  ＜ＵＲＬ：  ＨＹＰＥＲＬＩＮＫ  ｈｔｔｐ：／／ｗｗｗ．ａｖｅｒｙ．ｃｏｍ／ｕｓ／Ｍａｉｎ？ａｃｔｉｏｎ＝ｐｒｏｄｕｃｔ．ＨｉｅｒａｒｃｈｙＬｉｓｔ＆ｎｏｄｅ＝１０２１０９０３＆ｃａｔａｌｏｇｃｏｄｅ＝ＷＥＢ０１＞
【発明の開示】
【発明が解決しようとする課題】
【０００６】
ところが、従来の書類カバーにおいては、例えばＡ４サイズ用の書類カバーであればＡ４サイズよりも僅かに大きめの表表紙と裏表紙が用いられるが、大きさＡ４サイズの書類をこれらの従来からある書類カバーに留める場合、どうしても表紙の上縁部と書類とをほぼ同じ位置に合わせて留めてしまうので、使っている間に書類の上側縁が書類カバーからはみ出して書類が傷んでしまうという問題があった。書類の上縁側が傷まないよう少し工夫をして、表紙の上縁よりも僅かに下になるよう書類を留めると、今度は表紙の上側縁より下にはクリップが入り込まず、クリップが書類をしっかり挟まなくなり、留めた書類は書類カバーから外れやすくなってしまうという問題があった。
また、従来の書類ホルダにおいては、書類を傷めないようにするためには、目視で位置を確認して書類を留めることになり、位置決めがなかなか面倒であった。
【０００７】
そこで本発明は、従来技術の問題点をなくすように考えたものである。
本発明の第１の目的は、書類の角をクリップで保持する書類カバーにおいて、書類カバーから書類がはみ出さないようクリップで簡単に留めることができる書類カバーを提供する。
本発明の第２の目的は、書類の角をクリップで保持する書類カバーにおいて、書類カバーから書類がはみ出ないようクリップで簡単に留めることができ、しかもクリップが書類カバーから外れにくい書類カバーを提供する。
本発明の第３の目的は、書類の角をクリップで保持する書類カバーにおいて、書類カバーから書類がはみ出さないようクリップで簡単に留めることができ、しかも書類カバーを閉じた状態でも書類を留めたクリップが見える窓を設けた書類カバーを提供する。
本発明の第４の目的は、書類の角をクリップで保持する書類ホルダにおいて、書類ホルダから書類がはみ出さないようクリップで簡単に留めることができ、しかもクリップが書類カバーから外れないよう固定した書類ホルダを提供する。
【課題を解決するための手段】
【０００８】
請求項１の発明の課題解決手段は、表表紙と裏表紙とこれらの両表紙を連接する背部または背表紙とを有する書類カバーにおいて、表表紙または／および裏表紙の上側縁部にクリップを差し込むクリップ保持用切り込みを設けたことである。
請求項２の発明の課題解決手段は、表表紙と裏表紙とこれらの両表紙を連接する背部または背表紙とを有する書類カバーにおいて、表表紙または／および裏表紙の上側縁近くにクリップを差し込むクリップ保持用穴部を設けたことである。
請求項３の発明の課題解決手段は、表表紙と裏表紙とこれらの両表紙を連接する背部または背表紙とを有する請求項１あるいは請求項２の書類カバーにおいて、更に表表紙の上側縁近くに窓を設けたことである。
請求項４の発明の課題解決手段は、請求項１から請求項３のいずれかの書類カバーにおけるクリップ保持用切り込みあるいはクリップ保持用穴部に、クリップを固定した書類ホルダとしたことである。
【発明の効果】
【０００９】
請求項１の発明によれば、表表紙または／および裏表紙の上側縁部にクリップを差し込むクリップ保持用切り込みを設けているので、クリップ保持用切り込み位置にクリップで書類を留めれば自動的に、書類は書類カバー内に収まり書類の上縁側が傷つきにくり書類が傷まなくなる。
請求項２の発明によれば、表表紙と裏表紙とこれらの両表紙を連接する背部または背表紙とを有する書類カバーにおいて、表表紙または／および裏表紙の上側縁近くにクリップを差し込むクリップ保持用穴部を設けているので、クリップ保持用穴部にクリップで書類を留めれば自動的に、書類カバーの内側に収まり、書類の上縁側が傷つきにくくなり、更にクリップが外れにくくなる。
請求項３の発明によれば、表表紙と裏表紙とこれらの両表紙を連接する背部または背表紙とを有する請求項１あるいは請求項２の書類カバーに、更に表表紙の上側縁近くに窓を設けているので、不透明のシート材で書類カバーが作られている場合には、書類カバーを閉じてもクリップで留められた箇所を見ることが出きる。
請求項４の発明によれば、請求項１から請求項３のいずれかの書類カバーにおけるクリップ保持用切り込みあるいはクリップ保持用穴部にクリップが固定されているので、クリップが外れることがなく書類ホルダとして利用できる。
【実施例１】
【００１０】
実施例１を、図１に基づいて説明する。
図１は、実施例１のものを折り曲げた状態を示す斜視図である。実施例１の書類カバーＡは、透明なプラスチックシートで作られたもので、留める書類のサイズをＡ４のものと仮定している。表表紙１と、この表表紙１と大きさが同じ裏表紙２と、これらの両表紙を折線３，３で連接した背表紙４ａと、を設けて、この裏表紙２の上側縁部における背表紙４側隅にクリップ６を差し込むためのほぼ四辺形のクリップ保持用切り込み５を設けている。そのクリップ保持用切り込み５の幅は利用するクリップ６の幅とほぼ同じ寸法としている。クリップ保持用切り込み５の深さは、Ａ４サイズの書類７を留めたときに裏表紙２の下側縁部からもこの深さだけ留めた書類が内側になるような寸法としている。すなわち、書類カバーＡの上側縁部と下側縁部とのほぼ中心に書類７が留まるようになっているのである。
【実施例２】
【００１１】
実施例２を、図２と図３に基づいて説明する。
図２は、実施例２のものを折り曲げた状態を示す斜視図である。実施例２の書類カバーＡは、透明なプラスチックシートで作られたもので、留める書類のサイズをＡ４と仮定している。表表紙１と、この表表紙１と大きさが同じ裏表紙２と、これらの両表紙を折線３で連接したものである。この折線３により作られる部分を背部４ｂとする。この裏表紙２の上側縁部における背部４ｂ側隅にクリップ６を差し込むためのほぼ四辺形のクリップ保持用切り込み５を設けている。クリップ保持用切り込み５の幅は利用するクリップ６の幅とほぼ同じ寸法としている。クリップ保持用切り込み５の深さは、Ａ４サイズの書類７を書類カバーＡに留めたときに、裏表紙２の下側縁部からもこの切り込みの深さだけ留めた書類が書類カバーＡの内側になるような寸法としている。すなわち、書類カバーＡの上側縁部と下側縁部とのほぼ中心に書類７が留まるようになっているのである。
図３は、書類カバーＡにおける裏表紙２のクリップ保持用切り込み５に、ほぼ三角形をしたクリップ６を使ってＡ４サイズの書類７を留めた状態を示した斜視図である。書類７は、書類カバーＡの内に納まっているので、書類７が傷まなくなる。
【実施例３】
【００１２】
実施例３を、図４に基づいて説明する。
図４は、実施例３の書類カバーＡの折り曲げた状態を示す斜視図である。実施例３の書類カバーＡは、前記実施例２の書類カバーに、更に表表紙１の上側縁部における背部４ｂ側隅にクリップ６を差し込むためのほぼ四辺形のクリップ保持用切り込み５を設けている。その切り込みの幅とその深さは実施例２のクリップ保持用切り込み５と同じ寸法となっている。
【実施例４】
【００１３】
実施例４を、図５に基づいて説明する。
図５は、実施例５のものを折り曲げた状態を示す斜視図である。実施例４の書類カバーＡは、透明なプラスチックシートで作られたもので、留める書類のサイズをＡ４のものと仮定している。表表紙１と、この表表紙１と大きさが同じ裏表紙２と、これらの両表紙を折線３で連接したものである。この折線３により作られる部分を背部４ｂとする。この表表紙１の上側縁部における左側縁隅近くに、すなわち背部４ｂからほぼ最も離れた位置に、クリップ６を差し込むためのほぼ四辺形のクリップ保持用切り込み５を設けている。クリップ保持用切り込み５の幅は利用するクリップ６の幅とほぼ同じ寸法としている。クリップ保持用切り込み５の深さは、Ａ４サイズの書類７を書類カバーＡに留めたときに表裏表紙１の下側縁部からも、この切り込みの深さだけ留めた書類が内側になるような寸法としている。
【実施例５】
【００１４】
実施例５を、図６と図７に基づいて説明する。
図６は、実施例５のものを折り曲げた状態を示す斜視図である。実施例５の書類カバーＡは、透明なプラスチックシートで作られたもので、留める書類のサイズをＡ４のものと仮定している。表表紙１と、この表表紙１と大きさが同じ裏表紙２と、これらの両表紙を折線３で連接したものである。この折線３により作られる部分を背部４ｂとする。この裏表紙２の上側縁部からクリップ保持用切り込み５の深さと同じ距離だけ離れた位置でかつ背部４ｂ側隅の位置に、クリップ６を差し込むための細長い四辺形のクリップ保持用穴部８を設けている。クリップ保持用穴部８の横幅は利用するクリップ６の幅とほぼ同じ寸法としていて、その縦幅はクリップ６が入る寸法となっている。
図７は、書類カバーＡにおける裏表紙２のクリップ保持用穴部８に、ほぼ三角形をしたクリップ６を使ってＡ４サイズの書類７を留めた状態を示した斜視図である。書類７は、書類カバーＡの内に納まっているので、書類７が傷むことはなくなる。さらに、クリップ６は、クリップ保持用穴部８に通されているので書類カバーＡから外れにくくなっている。
【実施例６】
【００１５】
実施例６を、図８と図９とに基づいて説明する。
実施例６の書類カバーＡは紙で作られている。その構造は、実施例２の書類カバーＡに、表表紙１の上側縁部における背部４ｂ側隅にほぼ３角形をした窓９を更に設けたものとなっている。図８は、実施例６の書類カバーＡにおける裏表紙２のクリップ保持用切り込み５に、ほぼ三角形をしたクリップ６を使ってＡ４サイズの書類７を留めた状態を示した斜視図である。
図９は、図８に示した実施例６のものを閉じたときの平面図である。窓９があることで、不透明な紙であってもクリップ６が見えるようになっている。このクリップ６に会社のロゴなどが印刷されていると宣伝として効果がある。
【実施例７】
【００１６】
実施例７を、図１０と図１１に基づいて説明する。
実施例７は、実施例２のものが透明なプラスチックシートでできているのに対して、この実施例６の書類カバーＡは不透明なプラスチックシートで作られている。しかしその構造は、実施例２の書類カバーＡの表表紙１の上側縁部における背部４ｂ側隅にほぼ３角形のコーナー切り込み１０を設けたものである。
図１０は、実施例７の書類カバーＡの折り曲げた状態を示す斜視図である。
図１１は、実施例７の書類カバーＡにおける裏表紙２のクリップ保持用切り込み５に、ほぼ三角形をしたクリップ６を使ってＡ４サイズの書類７を留めた状態を示した斜視図である。コーナー切り込み１０を設けているので、不透明なシートでできた書類カバーＡを閉じた状態であってもクリップ６が見えるようになっている。このクリップ６に会社のロゴなどが印刷されていると宣伝効果がある。
【実施例８】
【００１７】
実施例８を、図１２と図１３に基づいて説明する。
実施例８は、実施例２のものが透明なプラスチックシートでできているのに対して、この実施例８の書類カバーＡは不透明なプラスチックシートで作られている。しかしその構造・形状・寸法は実施例２の書類カバーＡと同じもので、そのクリップ保持用切り込み５に差し込んだクリップ６の裏側を透明な粘着シート１１で裏表紙２に固定した書類ホルダ１０Ｂである。
図１３は、実施例８の書類カバーＡを閉じた状態で、裏表紙２から見た時の平面図である。クリップ６の書類カバーＡへの固定方法は、粘着剤の他に溶着や接着剤など様々な方法で固定されるものである。
【図面の簡単な説明】
【００１８】
【図１】実施例１を示す斜視図
【図２】実施例２を示す斜視図
【図３】実施例２の使用状態を示す斜視図
【図４】実施例３を示す斜視図
【図５】実施例４を示す斜視図
【図６】実施例５を示す斜視図
【図７】実施例５の使用状態を示す斜視図
【図８】実施例６の使用状態を示す斜視図
【図９】実施例６を閉じたときの状態を示す平面図
【図１０】実施例７を示す斜視図
【図１１】実施例７の使用状態を示す斜視図
【図１２】実施例８を示す斜視図
【図１３】実施例８を裏表紙側から見た平面図
【図１４】従来の書類カバーを示す斜視図
【図１５】従来の書類カバーの使用状態を示す斜視図
【図１６】従来の書類ホルダに使用される書類カバーの展開図
【図１７】従来の書類ホルダの書類カバーを示す斜視図
【図１８】従来の書類ホルダに使用されるクリップの平面図
【図１９】図１８のクリップを上から見たときの平面図
【図２０】従来の書類ホルダを示す平面図
【符号の説明】
【００１９】
Ａ      書類カバー
１      表表紙
２      裏表紙
３      折線
４ａ    背表紙
４ｂ    背部
５      クリップ保持用切り込み
６      クリップ
７      書類
８      クリップ保持用穴部
９      窓
１０      コーナー切り込み
１１      透明粘着シート
１０Ａ    書類カバー
１０Ｂ    書類ホルダ
１０１    表表紙
１０１ａ  表表紙コーナー部
１０１ｂ  表表紙コーナー部
１０２    裏表紙
１０３    折線
１０３ａ  コーナー切れ線
１０３ｂ  コーナー切れ線
１０４ａ  背表紙
１０４ｂ  背部
１０６ａ  クリップ
１０６ｂ  回動クリップ
１０７    書類
１０８ａ  クリップ保持用穴部
【図１】
2007007990.tif 000003
【図２】
2007007990.tif 000004
【図３】
2007007990.tif 000005
【図４】
2007007990.tif 000006
【図５】
2007007990.tif 000007
【図６】
2007007990.tif 000008
【図７】
2007007990.tif 000009
【図８】
2007007990.tif 000010
【図９】
2007007990.tif 000011
【図１０】
2007007990.tif 000012
【図１１】
2007007990.tif 000013
【図１２】
2007007990.tif 000014
【図１３】
2007007990.tif 000015
【図１４】
2007007990.tif 000016
【図１５】
2007007990.tif 000017
【図１６】
2007007990.tif 000018
【図１７】
2007007990.tif 000019
【図１８】
2007007990.tif 000020
【図１９】
2007007990.tif 000021
【図２０】
2007007990.tif 000022